(57)【要約】      （修正有）【課題】螺子の締め過ぎを防止でき、組付け作業が容易な押釦ガイド部材を提供する。【解決手段】遠隔操作の押釦５が摺動ガイドされるガイド筒体１と、操作継手２とで、槽壁３が挟持締着されるガイド部材において、ガイド筒体１の周側面に切起し部が形成され、切起し部の外側面に外鋸歯螺子１２を設け、外鋸歯螺子１２と螺合する内鋸歯螺子２２が操作継手２の内周面に設けられて、操作継手２にガイド筒体１がワンタッチの押し込みで組付けられ、ガイド筒体１の内周下部に、一方向のみ回転可能とする爪部が設けられ、爪部と係合する弾発爪車を備えた治具が用いられ、治具により締め付け方向への回転を所要トルクで空回りするようにした。【選択図】図１
2012233384.tif 000002
【特許請求の範囲】
【請求項１】
遠隔操作の押釦がその操作で摺動ガイドされるフランジ部を備えたガイド筒体と、フランジ部付き操作継手とで、槽壁が挟持締着されるガイド部材において、ガイド筒体には、その周側面に少なくとも２つのコ字状切込み孔を刻設して切起し部が形成され、該切起し部の外側面に外鋸歯螺子を設け、該外鋸歯螺子と螺合する内鋸歯螺子がフランジ部付き操作継手の内周面に設けられ、該フランジ部付き操作継手へのガイド筒体のワンタッチの押し込みで組付けられることを特徴とするワンタッチ組付け押釦ガイド部材。
【請求項２】
ガイド筒体の外鋸歯螺子とフランジ部付き操作継手の内鋸歯螺子とが、ともに片面直角鋸歯螺子であって、ガイド筒体の押し込みでは、内側へ変形させられた切抜き部が元に戻って浮き上がらない状態にされ、螺合では、切起し部を浮き上がらせるような分力が働かないために滑らかな状態で螺合がされることを特徴とする請求項１記載のワンタッチ組付け押釦ガイド部材。
【請求項３】
ガイド筒体の内周下部には、一方向のみ回転可能とする爪部が設けられ、該爪部と係合するトルク管理の弾発爪車を備えた治具が用いられ、該治具による一方向への回転を所要トルクで空回りするようにした、前記ガイド筒体の操作継手への過剰締着防止がされることを特徴とする請求項１乃至２のいずれか１項に記載のワンタッチ組付け押釦ガイド部材。
【発明の詳細な説明】
【技術分野】
【０００１】  本発明は、押釦で遠隔操作する遠隔操作式排水栓装置の押釦が摺動ガイドされるガイド筒体と、それを槽壁へ操作継手とで締着させてなる押釦ガイド部材に関するものである。
【背景技術】
【０００２】  押釦で遠隔操作する遠隔操作式排水栓装置において、槽壁に設置される押釦を摺動ガイドするガイド筒体が、外周面に螺子を形成し、且つ上端部にフランジ部を設け、該螺子をもって槽壁の取付穴に裏側から当てた操作継手の内周面の螺子に螺合締着されることによって、ガイド筒体と操作継手とのフランジ部で槽壁が挟持されるものであった（特許文献１）。【０００３】  また、外周面に雄螺子が刻設された排水口金具に、その雄螺子に螺合する雌螺子が内周面に設けられたナット部材をもって槽底が挟持締着される締着ナットにおいて、そのナット部材の外周面に回り止めリブを設け、該回り止めリブに係合する溝が設けられたアダプターをもって、ナット部材の締着回転がされるにあたって、その係合が所要トルクに達するとアダプターの空回りをして過剰締着防止し、アダプターの逆回転で、排水口金具の雄螺子とナット部材の雌螺子との螺合が、アダプターの空回りをすることなく、締着解除されるものであった（特許文献２）。
【先行技術文献】
【特許文献】
【０００４】
【特許文献１】  特開２００３−０８２７３１
【特許文献２】  特開２００７−３０９４８５
【発明の概要】
【発明が解決しようとする課題】
【０００５】  従来の押釦ガイド部材の槽壁への組付けは、槽壁の取付穴に裏側から当てた操作継手のその内周面の螺子にガイド筒体外周面の螺子を螺合させて、ガイド筒体が操作継手とで槽壁に締着されている。この螺合による組付け作業には時間を要し、好ましくない。
また、螺合による締着の作業では、螺子の締め過ぎを起し、螺子の締め潰すことがあり、具合悪い。【０００６】  そこで、螺子による締め過ぎ防止をする締付けナットが洗面化粧台の排水口金具の組付けで知られている。それは、ナット部材の外周面に設けた回り止めリブに係合し、その係合でナット部材の締着回転されるに当って、所要トルクに達すると空回りするアダプターによるものであって、アダプターによる締め過ぎ防止をする回り止めリブによるトルク管理が難しく、アダプターによる締着回転で空回りする所要トルクの設定も難しい。しかも、アダプターが槽壁の裏側にあり、その裏側からの作業は困難で、不便である。よって、非効率的で、作業時間を要するものであった。そして、締着ナットを締着した後でもアダプターが残存されている構造は、複雑化し、押釦などの部品を組付ける関係上にあっては、簡素化しなければならないにもかかわらず、それが出来ないという不都合さがある。
【課題を解決するための手段】
【０００７】  本発明のワンタッチ組付け押釦ガイド部材は、遠隔操作の押釦がその操作で摺動ガイドされるフランジ部を備えたガイド筒体と、フランジ部付き操作継手とで、槽壁が挟持締着されるガイド部材において、ガイド筒体には、その周側面に少なくとも２つのコ字状切込み孔を刻設して切起し部が形成され、該切起し部の外側面に外鋸歯螺子を設け、該外鋸歯螺子と螺合する内鋸歯螺子がフランジ部付き操作継手の内周面に設けられ、該フランジ部付き操作継手へのガイド筒体のワンタッチの押し込みで組付けられるものである。【０００８】  本発明のワンタッチ組付け押釦のガイド部材は、ガイド筒体の外鋸歯螺子とフランジ部付き操作螺子とフランジ部付き操作継手の内鋸歯螺子とが、ともに片面直角鋸歯螺子であって、ガイド筒体の押し込みでは、内周へ変形させられる切起し部がガイド筒体内部へ浮き上がらないように元に戻り、螺合では、切抜き部を浮き上がらせるような分力が働かないため、内周面が滑らかにされた状態での螺合がされるものである。【０００９】  本発明のワンタッチ組付け押釦ガイド部材は、ガイド筒体の内周下部には、一方向のみ回転可能とする爪部が設けられ、該爪部と係合するトルク管理の弾発爪車を備えた治具が用いられ、該治具による一方向への回転を所要トルクで空回りするようにした前記ガイド筒体の操作継手への過剰締着防止がされるものである。
【発明の効果】
【００１０】  本発明のワンタッチ組付け押釦ガイド部材は、ガイド筒体には切起し部が形成され、その外側面に外鋸歯螺子を設け、該外鋸螺子と螺合する内鋸歯螺子が操作継手の内周面に設けられたものであるので、取付穴の槽壁裏側から当てた操作継手にガイド筒体が挿し押込まれ、この挿し押込みによる切起し部の弾発性でその外周面にある外鋸歯螺子が操作継手の内鋸歯螺子を乗越えてワンタッチで取付けられ、外鋸歯螺子の内鋸歯螺子への最後の螺合締めで、槽壁にガイド筒体が確実に締着される。よって、組付け作業時間を短縮し、しかも、作業に困難さがなく、いとも容易に出来る。【００１１】  本発明のワンタッチ組付け押釦ガイド部材は、ガイド筒体の外鋸歯螺子とフランジ部付き操作継手の内鋸歯螺子とがともに片面直角鋸歯螺子であるので、フランジ部付き操作継手にガイド筒体を押し込みで内側へ変形させられる切起し部がガイド筒体内部へ浮き上がらないように元に戻り、その螺合では切起し部を浮き上がらせるような分力が働かないので、ガイド筒体の内周面が滑らかにされた状態での螺合がされる。よって、組付け後の押釦の摺動ガイドに支障をきたさずにできる。【００１２】  また、ガイド筒体の内周下部には、一方向のみの回転を可能とする爪部が設けらているので、ガイド筒体の外鋸歯螺子を操作継手の内鋸歯螺子に螺合させるときに、その爪部と係合するトルク管理の弾発爪車を備えた治具が用いられて螺合回転させることによって、容易に螺合回転トルクを管理して過剰締着防止される。よって、螺子の締め過ぎによる螺子の締め潰しを起すことなく、気を使わずに労力が消耗されない容易な作業ができることになる。
そして、トルク管理の弾発爪車を備えた治具を使用しての螺合締着回転後は、該治具を取り除くので、ガイド筒体内に残存されるものがなく、押釦の操作を支障なくできることになる。
【図面の簡単な説明】
【００１３】
【図１】  押釦を組付けたワンタッチ組付け押釦ガイド部材の一部断面側面図である。
【図２】  ワンタッチ組付け押釦ガイド部材の一部断面側面図である。
【図３】  ガイド筒体の一部断面の側面図である。
【図４】  ガイド筒体の上面視図である。
【図５】  ガイド筒体の下面視図である。
【図６】  操作継手の側断面図である。
【図７】  操作継手の半分の上面視図である。
【図８】  トルク管理の弾発爪車を備えた治具の正面図である。
【図９】  トルク管理の弾発爪車を備えた治具の一方側面図である。
【図１０】  トルク管理の弾発爪車を備えた治具の他方側面図である。
【図１１】  通常の鋸歯螺子による螺合状態説明図である。
【図１２】  片面直角鋸歯螺子による螺合状態説明図である。
【発明を実施するための形態】
【００１４】  本発明のワンタッチ組付け押釦ガイド部材は、図１及び図２に示す如く、レリースワイヤ４を介して遠隔操作するそのレリースワイヤ４の操作部４１を底部１３に取付け、押釦５をその押引き操作で内周面に摺動ガイドさせるガイド筒体１が、該ガイド筒体のフランジ部１１をもって、そのガイド筒体１外周面の外鋸歯螺子１２を操作継手２内周面の内鋸歯螺子２２に螺合させることによって、槽壁３が操作継手２のフランジ部２１とで挟持締着されるものである。
【００１５】  ガイド筒体１は、図３、図４、及び図５に示す如く、頂端部にフランジ部１１を形成し、底部１３にレリースワイヤの操作部４１を取付けるため、取付穴１４及びビス孔１６が設けられ、側周部１５には、少なくとも２つのコ字状切込み孔１７を刻設して切起し部１８が形成され、該切起し部の外周面に頂端部より遠ざかる方向へ傾斜する斜面とした外鋸歯螺子１２を設ける。
そして、ガイド筒体１は、内周下部に一方向のみ回転可能とする爪部１９が設けられ、該爪部をもってトルク管理された螺子締めにより回転がされる。
【００１６】  操作継手２は、図６及び図７に示す如く、頂端部にフランジ部２１を形成し、底部２３にレリースワイヤ４をガイドするガイドチューブ（図示されず）を継続させる継ぎ部２４を設け、側周部２５の内周面には、頂端部より遠ざかる方向へ傾斜する斜面とした内鋸歯螺子２２を設ける。
【００１７】  そこで、ワンタッチ組付け押釦ガイド部材は、先ず、操作継手２を槽壁３の取付穴に裏側から当てて、槽壁３の表側から取付穴及び操作継手２にガイド筒体１を押込み、弾発力を備えた切起し部１８の外周面に設けたガイド筒体１の外鋸歯螺子１２が操作継手２の内鋸歯螺子２２を乗越え、ワンタッチで押込ませられることになる。
【００１８】  ワンタッチで押込まれたガイド筒体１には、その内周下部に一方向のみ回転可能とする爪部１９が設けられているので、ガイド筒体１内にトルク管理の弾発爪車６０を備えた治具６を挿込み、爪部１９に弾発爪車６０を係合させ、治具６が回転されることによって、ガイド筒体１をも回転し、そのガイド筒体１の外鋸歯螺子１２と操作継手２の内鋸歯螺子２２とによる螺合回転で、最後の螺合締めがされ、槽壁３にガイド筒体１を確実に締着させることになる。
【００１９】  トルク管理の弾発爪車６０を備えた治具６は、図８、図９、及び図１０に示す如く、トルク管理する弾発爪車６０と回転軸７とでなり、弾発爪車６０には、弾発力を有する複数のトルク管理爪６１が備えられている。
トルク管理する弾発爪車６０を備えた治具６がガイド筒体１内へ挿込まれて、該治具の弾発力を有するトルク管理爪６１をガイド筒体１内周下部の爪部１９との係合による前記治具の回動で、ガイド筒体１が回転され、この回転によるガイド筒体１の外鋸歯螺子１２と操作継手２の内鋸歯螺子２２との螺合で、ガイド筒体１の槽壁３への締着をすることになる。螺合回転が所要トルクに達すると、弾発爪車６０の弾発力を有するトルク管理爪６１のガイド筒体１の爪部２０との係合が弾発力で外れ、空回りすることになる。
螺合を解除するには、治具が逆回転させれば、弾発爪車６０によって空回りさせられることなくガイド筒体１と操作継手２との螺合を解除することができる。
よって、トルク管理の弾発爪車６０を備えた治具６が用いられてのガイド筒体１の操作継手２への螺合は、螺合回転トルクが管理され、過剰締着防止をすることになる。
【００２０】  本発明のワンタッチ組付け押釦ガイド部材は、ガイド筒体１の切抜き部１８の外側面、及びフランジ部２１付き操作継手２の内周面には、ともに片面直角鋸歯螺子が設けられ、片面直角外鋸歯螺子１２１、片面直角内鋸歯螺子２２１とする。
通常の鋸歯螺子、即ち、外鋸歯螺子１２、内鋸歯螺子２２であると、図１１に示す如く、最後の締着螺合回転をしたときに、操作継手２の鋸歯の片面２２０の斜面がガイド筒体１の切起し部１８の鋸歯の片面１２０の斜面に当って、押し締めする力の分力８が働いて切起し部１８を浮き上がらせるようにされ、押釦５がガイド筒体１の内周面を摺動ガイドされるのに支障きたすことになる。
しかし、片面直角鋸歯螺子にすることによって、図１２に示す如く、切起し部１８の片面直角鋸歯螺子１２１と操作継手２の片面直角鋸歯螺子２２１とは、ともに片面１２０、２２０が螺子の軸心に対して直角であるので、最後の締着螺合回転をするに当って、切起し部１８を浮き上がらせるような分力が働かないので、ガイド筒体１の内周面を滑らかにでき、押釦５が摺動ガイドさせられても何の支障なくできることになる。
【符号の説明】
【００２１】１        ガイド筒体
１１      フランジ部
１２      外鋸歯螺子
１２１    片面直角外鋸歯螺子
１３      底部
１４      取付穴
１５      側周部
１６      ビス孔
１７      コ字状切込み孔
１８      切起し部
１９      爪部
２        操作継手
２１      フランジ部
２２      内鋸歯螺子
２２１    片面直角内鋸歯螺子
２３      底部
２４      継ぎ部
２５      側周部
３        槽壁
４        レリースワイヤ
４１      操作部
５        押釦
６        トルク管理の弾発爪車を備えた治具
６０      弾発爪車
６１      トルク管理爪
７        回転軸
８        分力
【図１】
2012233384.tif 000003
【図２】
2012233384.tif 000004
【図３】
2012233384.tif 000005
【図４】
2012233384.tif 000006
【図５】
2012233384.tif 000007
【図６】
2012233384.tif 000008
【図７】
2012233384.tif 000009
【図８】
2012233384.tif 000010
【図９】
2012233384.tif 000011
【図１０】
2012233384.tif 000012
【図１１】
2012233384.tif 000013
【図１２】
2012233384.tif 000014